(57)【要約】【課題】ビス締結部の小型化を達成し、ユーザー使用時に誤ってカメラ本体を落下させた際でも、外装カバー同士の合わせ部の隙間の発生を抑える電子機器を提供すること。【解決手段】本体部と、第１の外装部材と、前記第１の外装部材とともに、前記本体部の外装部となる第２の外装部材と、を有し、前記本体部、前記第１および第２の外装部材をビスにより固定する電子機器であって、前記第１の外装部材は、前記ビスに螺合する螺合部を備え、前記螺合部は、前記第１の外装部材の前記第２の外装部材への取り付け方向とは異なる方向を切り欠いた形状であることを特徴とする。【選択図】図３
2014126720.tif 000002
【特許請求の範囲】
【請求項１】
本体部と、
第１の外装部材と、
前記第１の外装部材とともに、前記本体部の外装部となる第２の外装部材と、を有し、
前記本体部、前記第１および第２の外装部材をビスにより固定する電子機器であって、
前記第１の外装部材は、前記ビスに螺合する螺合部を備え、
前記螺合部は、前記第１の外装部材の前記第２の外装部材への取り付け方向とは異なる方向を切り欠いた形状であることを特徴とする電子機器。
【請求項２】
前記螺合部は、前記第１の外装部材の前記第２の外装部材への取り付け方向とは反対側の方向を切り欠いた形状であることを特徴とする請求項１に記載の電子機器。
【請求項３】
前記第１の外装部材は、金属材料から成り、
前記第１の外装部材は、前記螺合部が形成される腕部を備え、
前記腕部は、前記第１の外装部材の外観面から段差を有し、
前記段差は、シェービング加工により形成されることを特徴とする請求項１又は２に記載の電子機器。
【請求項４】
本体部と、
第１の外装部材と、
前記第１の外装部材とともに、前記本体部の外装部となる第２の外装部材と、を有し、
前記本体部、前記第１および第２の外装部材をビスにより固定する電子機器であって、
前記第１の外装部材は、前記ビスに螺合する第１の螺合部を備え、
前記第２の外装部材は、前記ビスに螺合する第２の螺合部を備え、
前記第１の螺合部は、前記第１の外装部材の前記第２の外装部材への取り付け方向とは異なる方向を切り欠いた形状であり、
前記第２の螺合部は、前記第２の外装部材の前記第１の外装部材への取り付け方向とは異なる方向を切り欠いた形状であることを特徴とする電子機器。
【請求項５】
前記第１の螺合部は、前記第１の外装部材の前記第２の外装部材への取り付け方向とは反対側の方向を切り欠いた形状であり、
前記第２の螺合部は、前記第２の外装部材の前記第１の外装部材への取り付け方向とは反対側の方向を切り欠いた形状であることを特徴とする請求項４に記載の電子機器。
【請求項６】
前記第１の外装部材は、前記第１の螺合部が形成される第１の腕部を備え、
前記第２の外装部材は、前記第２の螺合部が形成される第２の腕部を備え、
前記第１の腕部は、前記第１の外装部材の外観面から段差を有し、
前記段差は、前記第２の腕部を組み付けるための空間であることを特徴とする請求項４又は５に記載の電子機器。
【請求項７】
前記第１の螺合部と前記第２の螺合部は、同一平面上に配置されていることを特徴とする請求項４から６のいずれか１項に記載の電子機器。
【請求項８】
前記第１の外装部材は、金属材料から成り、
前記段差は、シェービング加工により形成されることを特徴とする請求項６又は７のいずれか１項に記載の電子機器。
【発明の詳細な説明】
【技術分野】
【０００１】
本発明は、例えばデジタルカメラ等の電子機器に関する。
【背景技術】
【０００２】
電子機器は、電子部品を外装カバー内へ収納することで保護している。外装カバーは、電子機器本体へビスによる締結で固定することが多い。そのため、ビス締結部を小型化することによって、ビスの配置の自由度が向上し、外観デザイン上望ましい位置にビスを配置することができ、外観品位の向上が可能となる。
【０００３】
例えば、特許文献１では、カメラ本体と第１と第２のカバーがビスによる共締方式で固定されるカメラにおいて、共締部となる第２のカバー腕部の一部を切り欠いている。これによりカメラ修理時にはビスを緩めるだけで、カメラ本体と第１のカバーは固定した状態で、第２のカバーだけカメラ本体から分離することができ、修理作業性を向上させている。
【先行技術文献】
【特許文献】
【０００４】
【特許文献１】特開平９−２０３９４８号公報
【発明の概要】
【発明が解決しようとする課題】
【０００５】
しかしながら、特許文献１に開示された従来技術では、カバーの合わせ部に隙間が生じる方向への規制がないために、ユーザー使用時に誤ってカメラ本体を落下させた際に、第２のカバーが開き、第１のカバーと隙間が発生する可能性があった。
【０００６】
そこで、本発明は、ビス締結部の小型化を達成し、ユーザー使用時に誤ってカメラ本体を落下させた際でも、外装カバー同士の合わせ部の隙間の発生を抑えることができる電子機器の提供を目的とする。
【課題を解決するための手段】
【０００７】
本発明の一側面としての電子機器は、本体部と、第１の外装部材と、前記第１の外装部材とともに、前記本体部の外装部となる第２の外装部材と、を有し、前記本体部、前記第１および第２の外装部材をビスにより固定する電子機器であって、前記第１の外装部材は、前記ビスに螺合する螺合部を備え、前記螺合部は、前記第１の外装部材の前記第２の外装部材への取り付け方向とは異なる方向を切り欠いた形状であることを特徴とする。
【発明の効果】
【０００８】
本発明の電子機器によれば、ビス締結部の小型化を達成し、ユーザー使用時に誤ってカメラ本体を落下させた際でも、外装カバー同士の合わせ部の隙間の発生を抑えることができる。
【図面の簡単な説明】
【０００９】
【図１】本発明の第１の実施形態に係る電子機器の一例であるデジタルカメラの外観斜視図である。
【図２】デジタルカメラの分解斜視図である。
【図３】（ａ）は端子カバーを外した状態を示す部分構成図、（ｂ）は（ａ）の状態からサイドカバーを外した状態を示す部分構成図、（ｃ）は（ａ）のＡ―Ａ間の部分断面図である。
【図４】（ａ）はフロントカバーの部分斜視図、（ｂ）はフロントカバーの部分側面図である。
【図５】本発明の第２の実施形態に係る電子機器の一例であるデジタルカメラの外観斜視図である。
【図６】デジタルカメラの分解斜視図である。
【図７】（ａ）は端子カバーを外した状態を示す部分構成図、（ｂ）は（ａ）の状態からサイドカバーを外した状態を示す部分構成図、（ｃ）は（ａ）のＡ―Ａ間の部分断面図である。
【図８】（ａ）はリアカバーの組付け時の状態を示す部分斜視図、（ｂ）は部分側面図である。
【図９】（ａ）はフロントカバーの部分斜視図、（ｂ）はフロントカバーの部分側面図である。
【発明を実施するための形態】
【００１０】
以下に、本発明の好ましい実施の形態を、添付の図面に基づいて詳細に説明する。
【実施例１】
【００１１】
以下、図１から図４を参照して、本発明の第１の実施形態に係る電子機器のビス締結部について説明する。
【００１２】
図１は、本発明の第１の実施形態に係る電子機器の一例であるデジタルカメラの外観斜視図である。
【００１３】
デジタルカメラ１は、電子部品であるカメラアセンブリ（本体部）２を収納する筐体を構成するフロントカバー（第１の外装部材）３、リアカバー（第２の外装部材）４およびサイドカバー５を有する。
【００１４】
図２は、デジタルカメラ１からフロントカバー３、リアカバー４およびサイドカバー５を分解したデジタルカメラ１の分解斜視図である。
【００１５】
フロントカバー３と腕部３ａは、プレス加工により一体に形成される金属カバーである。腕部３ａに形成されたビス孔（螺合部）は、一部を切り欠くことで開放孔形状としている。
【００１６】
リアカバー４はフロントカバー３と同様に金属材料により形成されるが、腕部４ａは操作ボタン４ｂと一体成型された樹脂部品でリアカバー４に接着固定されている。腕部４ａに形成されたビス孔は切り欠きのない閉形孔形状としている。
【００１７】
フロントカバー３、リアカバー４およびサイドカバー５は、サイドカバー５側から３本のビス６によって、カメラアセンブリ２のシャーシ雌ねじ部２ａに共締固定される。
【００１８】
端子カバー７は、可撓性を有するエラストマ材料で形成され、腕部７ａをビス６の共締前にサイドカバー５の孔部５ａに挿通、係止させることで開閉が可能となる。これにより端子カバー７を開状態でビス６を締め付けた後、端子カバー７を閉めることでビス６を端子カバー７で覆い隠す構造となる。したがって、ビス６は、デジタルカメラ１の外観に常時露出することがなく、デジタルカメラ１の外観品位が向上する。
【００１９】
図３（ａ）は、端子カバー７を外した状態を示す部分構成図、図３（ｂ）は図３（ａ）の状態からサイドカバー５を外した状態を示す部分構成図、図３（ｃ）は図３（ａ）のＡ―Ａ間の部分断面図である。
【００２０】
図３（ａ）に示すように、ビス６は、カメラアセンブリ２に実装される外部端子コネクタ２ｂとフロントカバー３、リアカバー４、サイドカバー５の孔部５ａに重ならない位置に配置している。これは、不図示の外部端子ケーブルの外部端子コネクタ２ｂとの挿抜を可能にするためと、ビス６を端子カバー７で覆い隠す構造にし、外観品位を向上させるためである。
【００２１】
図３（ｂ）に示すように、腕部３ａと腕部４ａは、外部端子コネクタ２ｂと重ならず、また、フロントカバー３とリアカバー４の組み付ける際に干渉しない形状となっている。
【００２２】
腕部３ａは、フロントカバー３のリアカバー４への取り付け方向と反対側に切欠部３ｂが形成されている。すなわち、ビス孔の形状は、取り付け方向側はビス６と螺合し、取り付け方向と反対側を切り欠いている。
【００２３】
したがって、腕部３ａに形成されたビス孔は、フロントカバー３の開き方向（図中の＋Ｘ方向、＋Ｙ方向）への移動を、ビス６を介して規制することができる。
【００２４】
また、腕部４ａのビス孔は閉形孔形状をしているため、リアカバー４の開き方向（図中の−Ｘ方向、＋Ｙ方向）への移動についてもビス６を介して規制することができる。
【００２５】
これにより、ユーザー使用時に誤ってデジタルカメラ１を落下させた際でも、フロントカバー３とリアカバー４の合わせ部の隙間の発生を抑えることが可能となる。
【００２６】
本実施形態では、取り付け方向の反対側に切欠部３ｂを形成したが、フロントカバー３の開き方向への移動を規制できるなら他の異なる方向に切欠部を形成してもよい。
【００２７】
図３（ｃ）に示すように、ビス６は、サイドカバー５、フロントカバー３の腕部３ａおよびリアカバー４の腕部４ａのそれぞれのビス孔を通して、シャーシ雌ねじ部２ａに共締めされる。フロントカバー３とリアカバー４と端子カバー７の閉状態の外観面を同一に揃えるために、ビス６、サイドカバー５、フロントカバー３の腕部３ａ、リアカバー４の腕部４ａは、それぞれ外観面から凹となる位置で固定している。
【００２８】
図４（ａ）はフロントカバー３の部分斜視図、図４（ｂ）はフロントカバー３の部分側面図である。
【００２９】
フロントカバー３は、腕部３ａ、切欠部３ｂおよびシェービング加工による段差３ｃの形状を有している。シェービング加工とは、プレス加工後の縁部に発生する曲げダレ等の加工面を削り取る加工方法である。腕部３ａはフロントカバー３と一体で形成されているので、腕部３ａに相当する別部材をカシメ固定や溶接固定するよりも部品点数を少なくすることができ、コストダウンにつながる。また、縁部３ｄは、シェービング加工によって曲げダレが無くなり、端子カバーとの合わせ面が整うため、デジタルカメラ１の外観品位が向上する。
【００３０】
図４（ｂ）において、３ｄとＬの長さの差分に相当する斜線部分は、曲率が大きく異なる部分であり、シェービング加工が困難な箇所である。そこで、現実的に加工できる形状で、かつ本実施形態の目的である外装カバーの隙間対策として、切欠部３ｂが形成されている。また、切欠部３ｂを形成することによって腕部３ａを小さくすることができ、これによりビス締結部の小型化も可能となる。
【００３１】
なお、本実施形態では、フロントカバー３にシェービング加工による腕部３ａと切欠部３ｂ、リアカバー４に樹脂材料で形成された腕部４ａの構成としたが、フロントカバー３に樹脂材料で形成された腕部、リアカバー４にシェービング加工の腕部と切欠部を設けても良い。
【実施例２】
【００３２】
以下、図５から図９を参照して、本発明の第２の実施形態に係る電子機器のビス締結部について説明する。
【００３３】
図５は、本発明の第２の実施例に係る電子機器の一例であるデジタルカメラの外観斜視図である。
【００３４】
デジタルカメラ１１は、電子部品であるカメラアセンブリ（本体部）１２を収納する筐体を構成するフロントカバー（第１の外装部材）１３、リアカバー（第２の外装部材）１４およびサイドカバー１５を有する。
【００３５】
図６は、デジタルカメラ１１からフロントカバー１３、リアカバー１４およびサイドカバー１５を分解したデジタルカメラ１１の分解斜視図である。
【００３６】
フロントカバー１３と第１の腕部１３ａは、プレス加工により一体に形成される金属カバーである。第１の腕部１３ａに形成されたビス孔（第１の螺合部）は、一部を切り欠くことで開放孔形状としている。
【００３７】
リアカバー１４はフロントカバー１３と同様に金属材料により形成されるが、第２の腕部１４ａは操作ボタン１４ｂと一体成型された樹脂部品でリアカバー１４に接着固定されている。第２の腕部１４ａに形成されたビス孔（第２の螺合部）についても、一部を切り欠くことで開放孔形状としている。
【００３８】
フロントカバー１３、リアカバー１４およびサイドカバー１５は、サイドカバー１５側から３本のビス１６によって、カメラアセンブリ１２のシャーシ雌ねじ部１２ａに共締固定される。
【００３９】
端子カバー１７は、可撓性を有するエラストマ材料で形成され、腕部１７ａをビス１６の共締前にサイドカバー１５の孔部１５ａに挿通、係止させることで開閉が可能となる。これにより端子カバー１７を開状態でビス１６を締め付けた後、端子カバー１７を閉めることでビス１６を端子カバー１７で覆い隠す構造となる。したがって、ビス１６は、デジタルカメラ１１の外観に常時露出することがなく、デジタルカメラ１１の外観品位が向上する。
【００４０】
図７（ａ）は、端子カバー１７を外した状態を示す部分構成図、図７（ｂ）は図７（ａ）の状態からサイドカバー１５を外した状態を示す部分構成図、図７（ｃ）は図７（ａ）のＡ―Ａ間の部分断面図である。
【００４１】
図７（ａ）に示すように、ビス１６は、カメラアセンブリ１２に実装される外部端子コネクタ１２ｂとフロントカバー１３、リアカバー１４、サイドカバー１５の孔部１５ａに重ならない位置に配置している。これは、不図示の外部端子ケーブルの外部端子コネクタ１２ｂとの挿抜を可能にするためと、ビス１６を端子カバー１７で覆い隠す構造にし、外観品位を向上するためである。
【００４２】
図７（ｂ）に示すように、第１の腕部１３ａと第２の腕部１４ａは、外部端子コネクタ１２ｂと重ならず、また、フロントカバー１３とリアカバー１４の組み付ける際に干渉しない形状となっている。
【００４３】
第１の腕部１３ａは、フロントカバー１３のリアカバー１４への取り付け方向と反対側に切欠部１３ｂが形成されている。すなわち、ビス孔の形状は、取り付け方向側はビス１６と螺合し、取り付け方向とは反対側を切り欠いている。
【００４４】
したがって、腕部１３ａに形成されたビス孔は、フロントカバー１３の開き方向（図中の＋Ｘ方向、＋Ｙ方向）への移動を、ビス１６を介して規制することができる。
【００４５】
また、第２の腕部１４ａは、リアカバー１４のフロントカバー１３への取り付け方向と反対側に切欠部１４ｃが形成されている。すなわち、ビス孔の形状は、取り付け方向側はビス１６と螺合し、取り付け方向とは反対側は切り欠けている。
【００４６】
したがって、腕部１４ａに形成されたビス孔は、リアカバー１４の開き方向（図中の−Ｘ方向、＋Ｙ方向）への移動を、ビス１６を介して規制することができる。
【００４７】
これにより、ユーザー使用時に誤ってデジタルカメラ１１を落下させた際でも、フロントカバー１３とリアカバー１４の合わせ部の隙間の発生を抑えることが可能となる。
【００４８】
本実施形態では、取り付け方向の反対側に切欠部１３ｂ、１４ｃを形成したが、フロントカバー３またはリアカバー１４の開き方向への移動を規制できるなら他の異なる方向に切欠部を形成してもよい。
【００４９】
図７（ｃ）に示すように、ビス１６は、サイドカバー１５とフロントカバー１３の第１の腕部１３ａとリアカバー１４の第２の腕部１４ａのそれぞれのビス孔を通して、シャーシ雌ねじ部１２ａに共締めされる。
【００５０】
フロントカバー１３とリアカバー１４と端子カバー１７の閉状態の外観面を同一に揃えるために、ビス１６、サイドカバー１５、フロントカバー１３の第１の腕部１３ａ、リアカバー１４の第２の腕部１４ａは、それぞれ外観面から凹となる位置で固定している。
【００５１】
また、切欠部１３ｂと切欠部１４ｃの形状は、同一平面上に干渉することなく配置可能となるので、ビス締結部の厚みを低減、小型化することができる。
【００５２】
図８（ａ）はリアカバーの組付け時の状態を示す部分斜視図、図８（ｂ）は部分側面図である。組付け方法を分かり易く説明するために、サイドカバー１５を省略している。
【００５３】
カメラアセンブリ１２とフロントカバー１３との空間Ａに、リアカバー１４の第２の腕部１４ａを差し込み、リアカバー１４をカメラアセンブリ１２に組み付ける。組み付け途中のリアカバー１４の第２の腕部１４ａの軌跡を妨げないように、フロントカバー１３には空間Ｂが設けてある。この空間Ｂにより、リアカバー１４は、カメラアセンブリ１２にスムーズに組み付けることが可能となる。
【００５４】
図９（ａ）はフロントカバー１３の部分斜視図、図９（ｂ）はフロントカバー１３の部分側面図である。
【００５５】
フロントカバー１３は第１の腕部１３ａ、切欠部１３ｂおよびシェービング加工による段差１３ｃの形状を有している。第１の腕部１３ａはフロントカバー１３と一体で形成されているので、第１の腕部１３ａに相当する別部材をカシメ固定や溶接固定するよりも部品点数を少なくすることができ、コストダウンにつながる。また、縁部１３ｄには、シェービング加工により曲げダレが無くなり、端子カバーの合わせ面が整うため、デジタルカメラ１１の外観品位が向上する。
【００５６】
以上、本発明の好ましい実施形態について説明したが、本発明はこれらの実施形態に限定されず、その要旨の範囲内で種々の変形及び変更が可能である。
【符号の説明】
【００５７】
１    デジタルカメラ
２    カメラアセンブリ
３    フロントカバー
３ｂ  切欠部
４    リアカバー
６    ビス
【図１】
2014126720.tif 000003
【図２】
2014126720.tif 000004
【図３】
2014126720.tif 000005
【図４】
2014126720.tif 000006
【図５】
2014126720.tif 000007
【図６】
2014126720.tif 000008
【図７】
2014126720.tif 000009
【図８】
2014126720.tif 000010
【図９】
2014126720.tif 000011